(57)【特許請求の範囲】
【請求項１】
給水を加熱する加熱手段と、加熱された湯を浴槽に湯張りするための湯張り回路と、季節判定手段によって判定された季節に従って風呂設定温度を可変するものに於いて、前記季節判定手段によって夏場が判定された時には、風呂設定温度より低い温度で全量湯張りを行うと共に、冬場が判定された時には、ほぼ半量を風呂設定温度より高い温度で湯張りした後、残りを風呂設定温度で湯張りして、沸き上がり温度が風呂設定温度を越えないようにする事を特徴とする風呂給湯装置。
【発明の詳細な説明】
【０００１】
【発明の属する技術分野】
この発明は浴槽内に設定された温度の湯を自動的に湯張りする風呂給湯装置に関するものである。
【０００２】
【従来の技術】
従来よりこの種のものに於いては、例えば特許第２８５０４２８号公報に開示されている如く、水の温度を測定することにより間接的に季節の変化をとらえ、入水温度が低い時に落とし込み温度を上げることにより冬場の放熱ロスの増加分を補うことで、年間を通して風呂の沸き上がり温度を一定にするものであった。
【０００３】
【発明が解決しようとする課題】
ところでこの従来のものでは、冬場に風呂への落とし込み温度を上げて全量落とし込むので、風呂の温度が使用者が設定した温度を超えてしまい、使用者にとっては予想していた温度以上の湯温で驚くと共に、故障と誤認する危険を有し、器具への信頼感を失ってしまうと言う問題点を有するものであった。
【０００４】
【課題を解決するための手段】
そこでこの発明は上記欠点を解決する為、特にその構成を、給水を加熱する加熱手段と、加熱された湯を浴槽に湯張りするための湯張り回路と、季節判定手段によって判定された季節に従って風呂設定温度を可変するものに於いて、前記季節判定手段によって夏場が判定された時には、風呂設定温度より低い温度で全量湯張りを行うと共に、冬場が判定された時には、ほぼ半量を風呂設定温度より高い温度で湯張りした後、残りを風呂設定温度で湯張りして、沸き上がり温度が風呂設定温度を越えないようにしたものである。
【０００５】
これにより、夏場は風呂設定温度より低い温度であるので、全量を湯張りしても風呂設定温度を越えることがなく、又冬場は風呂設定温度より高い温度での湯張りであるが、ほぼ半量のみで配管や浴槽が暖まった後は、設定温度の湯張りに戻すので、湯張り終了時の湯温が風呂設定温度を越える心配がなく、季節に応じて風呂設定温度を自動的に変更して湯張りしても、使用者が設定した風呂設定温度を越えることがないので、快適な入浴が行えると共に、使用者の信頼感を失うことなく安心して使用出来るものである。
【０００６】
【発明の実施の形態】
次にこの発明に係る風呂給湯装置を図面に示された一実施例で説明する。
図１において１は風呂給湯装置で、大別して給湯回路２、風呂追い焚き回路３、風呂湯張り回路４より構成されるものである。
【０００７】
まず、給湯回路２について説明すると、５は給水管、６は給水の温度を検出する給水サーミスタから成る給水温度センサ、７は給水量を検出する給水流量センサ、８は給湯用熱交換器、９は出湯管、１０は給湯用熱交換器８の出口側の湯温を検出する出湯サーミスタ、１１は給水管５から給湯用熱交換器８をバイパスして出湯管９に接続するバイパス管、１２は出湯管９からの高温の湯とバイパス管１１からの低温の水とを混合して適温に制御するミキシング弁、１３は給湯管、１４は混合された湯の温度を検出するサーミスタから成る給湯温度センサ、１５は過流出を防止する水比例弁、１６は給湯管１３の端部に設けられた蛇口、１７は給湯用熱交換器８を加熱する加熱手段としてのバーナ部である。
【０００８】
次に、風呂追焚き回路３について説明すると、１８は浴槽、１９は風呂戻り管、２０は風呂往き管、２１は前記バーナ部１７により加熱される風呂用熱交換器、２２は浴槽１８内の湯を強制循環させる循環ポンプ、２３は循環する浴槽水の温度を検出する風呂サーミスタ、２４は浴槽水の循環の有無を検出する流水スイッチ、２５は浴槽１８内の水位を圧力によって検出する圧力センサから成る水位検出器、２６は後述する風呂湯張り回路４と風呂追い焚き回路３を接続する湯張り三方弁である。
【０００９】
次に、風呂湯張り回路４について説明すると、２７は前記給湯回路２の給湯管１３下流側より分岐され、前記風呂追い焚き回路３の湯張り三方弁２６に接続された風呂湯張り管、２８は風呂湯張り管２７を開閉する湯張り電磁弁、２９は風呂湯張り管２７を通過する流量を検出する湯張り流量センサ、３０は浴槽水の給湯回路２への逆流を防止するために二重に設けられた逆止弁で、予め設定された設定湯張り量の湯を浴槽１８へ湯張りするものである。
【００１０】
次に、３１はマイクロコンピュータより構成されこの風呂追い焚き装置１の制御を行う制御部である。また３２は前記制御部３１に接続されて風呂追い焚き装置１の操作指示を行うリモコンで、風呂自動スイッチ３３や風呂設定温度変更スイッチ３４、設定湯張り量変更スイッチ３５、追い焚きスイッチ３６などの各種操作スイッチと表示器３７とが設けられているものである。
【００１１】
更に図２に示す如く、制御部３１の入力側には上記した各種センサ群３８や水位検出器２５、前記した風呂自動スイッチ３３や風呂設定温度変更スイッチ３４、給湯設定温度変更スイッチ３５、追い焚きスイッチ３６などの各種操作スイッチが接続されており、又出力側にはバ−ナ部１７の燃焼を制御する燃焼制御部３９、上記した三方弁や開閉弁を制御する弁制御回路４０、表示器３７、循環ポンプ２２がそれぞれ接続されて通電制御されるものである。
【００１２】
４１は数十年分のカレンダ−を記憶したカレンダ−機能から成る季節判定手段で、今現在の日付けで季節を判断するもので、７月、８月を夏場、１２月〜２月までを冬場として判断し制御部３１を介して、夏場では風呂設定温度−１度Ｃで全量を湯張りし、冬場では風呂設定温度＋１度Ｃでほぼ半量湯張りした後、設定温度にもどして残り半量を湯張りするものである。
【００１３】
次に、この発明一実施例の作動を図３に示すフロ−チャ−トに従って説明する。
今風呂設定温度変更スイッチ３４で希望する沸き上がり温度を設定した後、ステップ４２でリモコン３２の風呂自動スイッチ３３を押圧すれば、ステップ４３に進んで季節判断手段４１で現在の季節がまず夏場かどうか判断される。
【００１４】
そしてＹＥＳではステップ４４で風呂設定温度−１度Ｃの湯張りを開始するものであり、ステップ４５に進んで湯張り流量センサ２９で湯張り量をカウントし、予め設定された２００Ｌの全量カウントでステップ４６で湯張り停止するものである。
【００１５】
またステップ４３でＮＯの場合にはステップ４７に進んで現在の季節が冬場かどうか判断し、ＹＥＳでステップ４８に進んで風呂設定温度＋１度Ｃで湯張りを開始し、ほぼ半量の１００Ｌをステップ４９でカウントし、ＹＥＳでステップ５０に進み湯張り温度を元の風呂設定温度に戻し、そしてステップ５１で継続しての湯張り量が全量の２００Ｌをカウントするとステップ４６に進んで湯張りが停止される。
【００１６】
更にステップ４７で夏場及び冬場でもない時にはＮＯで、ステップ５２に進み風呂設定温度での湯張りが行われ、ステップ５３で風呂流量が全量の２００Ｌカウントで、ステップ４６に進んでこの湯張りを停止するものである。
【００１７】
従って、気温が高く配管の温度も上昇し、また浴槽１８及び浴室内温度も高くなっている夏場には、風呂設定温度を自動的に下げて湯張りするので、いちいち使用者が設定の変更操作を行う必要がなく極めて便利であり、更に逆に気温が低く配管、浴槽１８、浴室も温度が低下している冬場には、風呂設定温度を自動的に上げ、しかもこの設定温度を上げての湯張りは全量の半分のみで、残りの半分は設定温度に戻して湯張りするので、沸き上がり温度が設定温度を越える心配がなく、安心して使用出来、使用者に不信感を持たせることもないものである。
【００１８】
尚、この一実施例では季節判定手段４１をカレンダ−機能としたが、これに限定されることなく、例えば外気温センサや給水温度センサによる検出温度と、予め設定した温度とを比較して判定する比較判定回路とで構成しても良いものである。
【００１９】
【発明の効果】
以上のようにこの発明によれば、夏場は風呂設定温度より低い温度であるので、全量を湯張りしても風呂設定温度を越えることがなく、又冬場は風呂設定温度より高い温度での湯張りであるが、ほぼ半量のみで配管や浴槽が暖まった後は、設定温度の湯張りに戻すので、湯張り終了時の湯温が風呂設定温度を越える心配がなく、季節に応じて風呂設定温度を自動的に変更して湯張りしても、使用者が設定した風呂設定温度を越えることがないので、快適な入浴が行えると共に、使用者の信頼感を失うことなく安心して使用出来るものである。
【図面の簡単な説明】
【図１】  この発明の一実施例を付した風呂給湯装置の概略構成図。
【図２】  同電気回路のブロック図。
【図３】  同要部のフロ−チャ−ト。
【符号の説明】
４  風呂湯張り回路
１７  加熱手段
１８  浴槽
４１  季節判定手段
【図１】
0003859534.tif 000002
【図２】
0003859534.tif 000003
【図３】
0003859534.tif 000004